【事件の表示】
　特願２００８−２０２５２８「ガスタービンのスプレー入口温度サプレッサ用の圧力を供給するための方法及び装置」拒絶査定不服審判事件〔平成２１年　２月２６日出願公開、特開２００９−　４１５６７〕について、次のとおり審決する。
【結　論】
　本件審判の請求は、成り立たない。
【理　由】
第１　手続の経緯
　
　本願は、平成２０年８月６日（パリ条約による優先権主張２００７年８月７日　アメリカ合衆国）の出願であって、平成２４年１０月３０日付けで拒絶理由が通知され、平成２５年５月７日に、意見書が提出されるとともに、特許請求の範囲について補正する手続補正書が提出され、平成２５年１１月６日付けで最後の拒絶理由が通知され、平成２６年５月１２日に、意見書が提出されるとともに、特許請求の範囲について補正する手続補正書が提出されたが、平成２６年７月３０日付けで拒絶査定がされ、これに対して平成２６年１２月４日に拒絶査定不服審判が請求され、平成２７年１月１４日に審判請求書の請求の理由を補正する手続補正書が提出されたものである。
　
第２　本願の請求項１に係る発明（以下、「本願発明」という。）について
　
（１）　本願発明
　本願の特許請求の範囲（請求項１ないし６）は、平成２６年５月１２日に提出された手続補正書により補正された特許請求の範囲並びに出願当初の明細書及び図面の記載からみて、その特許請求の範囲に記載されたとおりのものであり、そのうち、本願発明の特許請求の範囲は以下のとおりである。
「【請求項１】
　複合サイクル発電プラントであって、
　前記複合サイクル発電プラント内のガスタービン（１４０）の排気からの熱の伝達によって給水を加熱するための排熱回収蒸気発生器（ＨＲＳＧ）を備えるループ（１１０）と、
　前記ループの排熱回収蒸気発生器からの前記加熱給水の分流路と、
　前記分流路から前記加熱給水を直接受けて、かつ前記ガスタービンの入口にミストを供給するための噴霧システムに高圧加熱給水を供給するためのポンプ（１７０）と
を備える発電プラント。」
　
（２）　刊行物
ア　刊行物１の記載事項
　原査定の拒絶の理由に引用された、本願の優先日前に頒布された刊行物である特開２００３−２０６７５０号公報（以下、「刊行物１」という。）には、次の事項が記載されている。
（ア）　「【０００１】
【発明の属する技術分野】本発明は再生式ガスタービンと蒸気タービンサイクルとを用いた再生式ガスタービンコンバインドサイクル発電システムに関し、特に高い発電効率を達成するように改良した再生式ガスタービンコンバインドサイクル発電、及び、負荷遮断時などの緊急停止時におけるガスタービンのオーバースピードを防止する機能を備えた再生式ガスタービンに関するものである。」（段落【０００１】）
（イ）　「【０００８】蒸気タービンサイクル５２は、供給される蒸気で駆動される蒸気タービン１６、蒸気タービン１６から排気される蒸気を冷やして水にする復水器１７、復水された水に加える補給水１８、補給された水を送る給水ポンプ１９、送られる水を加熱するところの排ガス２８が流れる熱回収装置の低圧給水加熱器１４、加熱した水を送る高圧給水ポンプ１５、高圧給水ポンプ１５より送られる加熱水を加熱する高圧給水加熱器１１、高圧給水加熱器１１より送られる高圧加熱水を水蒸気になるように加熱する高圧蒸気発生器１０、高圧蒸気発生器１０で加熱された蒸気を高圧蒸気加熱器３７、低圧給水加熱器１４で加熱した加熱水の分流を加熱して水蒸気にする低圧蒸気発生器１５’、低圧蒸気発生器１５’で発生した蒸気を蒸気タービンサイクル５２の中段に供給する前に過熱する低圧蒸気過熱器１２を有する。なお、ガスタービン３からの排気ガス２１は熱回収装置の上流側、排気ガス２８は熱回収装置の下流側になる。」（段落【０００８】）
（ウ）　「【００１７】
【発明の実施の形態】以下、本発明の実施例を図面を参照して説明する。
【００１８】図４は、本発明の実施例を示す再生式ガスタービンコンバインドサイクル発電システムのシステム構成図である。図１および図２（従来例）と共通するところは、共通の符号を付して説明を省略し、異なるところを主に説明する。
【００１９】図４に示すように本実施例のガス系統は、以下のように構成されている。圧縮機１の吸気口上流に設けた水噴霧器２２により粒径５〜２０μｍの微細水滴を圧縮機吸込み空気４に噴霧する。この微細水滴は圧縮機１の吸気口上流でその一部が蒸発して空気温度を低下させる。この温度の低下した空気と未蒸発の微細水滴は圧縮機１に吸込まれ、微細水滴は圧縮過程でさらに蒸発して空気温度を低下させる。この圧縮機１の出口から抽気した圧縮空気を高圧蒸気過熱器８の排ガス下流側に配置した低温側の再生器７で予熱し、さらに、再高圧蒸気過熱器８の排ガス上流側に配置した高温側の再生器６で加熱する。この加熱した圧縮空気を空気急冷用噴霧装置２５を経て、燃焼器２に燃焼用空気２０として導入している。
【００２０】燃焼器２には燃料５と燃焼用空気２０（支燃焼ガス）を供給し、燃料５を燃焼用空気２０（支燃焼ガス）により燃焼して１，３００℃程度の燃焼ガス（高温ガス）を発生させる。この燃焼ガス（高温ガス）をタービン３に供給して膨張させることにより動力を取り出し、その動力の一部で圧縮機１を駆動し、残りの動力で発電機を回して発電する。
【００２１】ガスタービン３からの排ガス流路（熱回収装置）には、高温側の再生器６、再高圧蒸気過熱器８、低温再生器７、高圧蒸気過熱器９、高圧蒸気発生器１０、高圧給水加熱器１１、低圧蒸気過熱器１２、低圧蒸気発生器１３、低圧給水加熱器１４の順で直列に熱交換器類を配置している。ガスタービン３から排気される６００℃程度の排ガス２１はこれらの熱交換器類で排ガス温度１００℃程度まで熱回収された後、煙突から大気に放出される。
【００２２】また、本実施例における水・蒸気系統はいわゆる非再熱複圧の蒸気タービンサイクルであり、以下のように構成している。
【００２３】補給水１８及び復水器１７からの給水を給水ポンプ１４で昇圧し、低温給水加熱器１４で昇温した低圧給水の一部を分岐して低圧蒸気発生器１３に供給している。低圧蒸気発生器１３で発生した低圧蒸気は、過熱のための低圧蒸気過熱器１２を経て蒸気タービン１６に供給され、発電に供される。
【００２４】低温給水加熱器１４で昇温した残りの低圧給水は、さらに昇温するための高圧給水加熱器１１を経て高圧蒸気発生器１０に供給される。この高圧蒸気発生器１０で発生した蒸気は、低温側の再生器７の排ガス下流側に配置した高圧蒸気過熱器９で予熱した後、低温再生器７の排ガス上流側に配置した再高圧蒸気過熱器８で高温まで過熱され、蒸気タービン１６に供給される。
【００２５】蒸気タービン１２で仕事をした後の排蒸気は復水器１７で水に戻され、補給水１８と合流して給水ポンプ１９で昇圧され、再び低温給水加熱器１４に供給される。
【００２６】圧縮機１の吸気ダクトには水噴霧装置２２を設け、噴霧用水２３を噴霧水供給弁３２を経て水噴霧器２２に供給している。水噴霧装置２２としては、一流体ノズル、二流体ノズルなどを複数個配置して構成可能である。なお、二流体ノズルの場合には噴霧用水のほかに圧縮空気源が必要であるが、この圧縮空気源としては圧縮機１からの抽気空気や別置きの圧縮機からの空気を使用することができる。
【００２７】なお、噴霧用水の供給元は図示していないが、別に設けた給水系統から常温の純水を供給する方式、高圧給水加熱１１から分岐した高温高圧水を供給する方式など、種々の方式を採用可能である。また、圧縮機１への水噴霧位置は本実施例で示した圧縮機１の入口空気に限られるものではなく、圧縮機１の中の圧縮過程の空気に水噴霧しても良い。」（段落【００１７】ないし【００２７】）
　
イ　刊行物１発明
　上記ア及び図面の記載を総合すると、刊行物１には次の発明（以下、「刊行物１発明」という。）が記載されている。
＜刊行物１発明＞
「再生式ガスタービンコンバインドサイクル発電システムであって、
　前記再生式ガスタービンコンバインドサイクル発電システム内の再生式ガスタービン５１の排気からの熱の伝達によって給水を加熱するための熱回収装置を備える蒸気タービンサイクル５２と、
　前記再生式ガスタービン５１の圧縮機１の吸込み空気に微細水滴を噴霧するための、圧縮機１の吸気口上流に設けた水噴霧器２２と
を備える発電システム。」
　
（３）　対比・判断
　本願発明と刊行物１発明とを対比すると、刊行物１発明における「再生式ガスタービンコンバインドサイクル発電システム」は本願発明における「複合サイクル発電プラント」に相当し、以下同様に、「再生式ガスタービン５１」は「ガスタービン」に、「熱回収装置」は「排熱回収蒸気発生器（ＨＲＳＧ）」に、「蒸気タービンサイクル５２」は「ループ」に、それぞれ相当する。
　刊行物１発明における「前記再生式ガスタービン５１の圧縮機１の吸込み空気に微細水滴を噴霧するための、圧縮機１の吸気口上流に設けた水噴霧器２２」と本願発明における「前記分流路から前記加熱給水を直接受けて、かつ前記ガスタービンの入口にミストを供給するための噴霧システムに高圧加熱給水を供給するためのポンプ」は、「前記ガスタービンの入口にミストを供給するための噴霧システム」という限りにおいて一致する。
　したがって、本願発明の用語に倣って整理すると、本願発明と刊行物１発明とは、
「複合サイクル発電プラントであって、
　前記複合サイクル発電プラント内のガスタービンの排気からの熱の伝達によって給水を加熱するための排熱回収蒸気発生器（ＨＲＳＧ）を備えるループと、
　前記ガスタービンの入口にミストを供給するための噴霧システムと
を備える発電プラント。」である点で一致し、次の点で相違する。
＜相違点＞
　本願発明は、「前記ループの排熱回収蒸気発生器からの前記加熱給水の分流路と、前記分流路から前記加熱給水を直接受けて、かつ前記ガスタービンの入口にミストを供給するための噴霧システムに高圧加熱給水を供給するためのポンプ（１７０）とを備える」のに対し、
　刊行物１発明は、「前記再生式ガスタービン５１の圧縮機１の吸込み空気に微細水滴を噴霧するための、圧縮機１の吸気口上流に設けた水噴霧器２２を備える」点（以下、「相違点」という。）。
　
　上記相違点について検討する。
　
　刊行物１発明における水噴霧器２２への噴霧用水の供給に関して、刊行物１には、「【００２７】なお、噴霧用水の供給元は図示していないが、別に設けた給水系統から常温の純水を供給する方式、高圧給水加熱１１から分岐した高温高圧水を供給する方式など、種々の方式を採用可能である。」と記載されており（審決注：ここで「高圧給水加熱１１」は、刊行物１の段落【０００８】、【００２１】等の記載からみて、「高圧給水加熱器１１」の明らかな誤記である。）、熱回収装置の高圧給水加熱器１１から高温高圧水を分岐して、噴霧用水として水噴霧器２２に供給すること（以下、「刊行物１技術」という。）が開示されている。
　してみると、刊行物１発明に刊行物１技術を適用して、蒸気タービンサイクル５２の熱回収装置からの高温高圧水の分岐路を設け、該分岐路から高温高圧水を圧縮機１の吸気口上流に設けた水噴霧器２２に供給するように構成することは当業者が容易に想到し得ることである。
　本願発明はさらに、上記分岐路に相当する分流路に所定のポンプを備えているが、上記分岐路に該高温高圧水を送給ないし昇圧する等のためのポンプ手段を設けることは、高温高圧水の分岐路の形状・構造（例えば分岐路の長さ）や所要の流量・圧力等を考慮して適宜採用する設計的事項にすぎない。　また、一般に上記分岐路のような液体の流路にポンプ手段を設けることはごく普通のことであって、複合発電システムの熱回収装置における加熱水等の流路にポンプ手段を設けることも、例えば、刊行物１（特に、高圧給水ポンプ１５）、特開平４−４３８０３号公報（特に、高圧給水ポンプ１６、高圧循環ポンプ１８）及び特開平６−１３７１１３号公報（特に、高圧給水ポンプ１３、高圧循環ポンプ１５）に示されているように本願の優先日前に周知の技術（以下、「周知技術」という。）であり、特別なことではない。
　以上に関して、請求人は審判請求の理由において、特に、「本願発明では、かかる特徴的構成を採用することによって、圧力２６００ｐｓｉｇ〜２８００ｐｓｉｇ（１８〜１９ＭＰａ）及び温度３００〜３２０°Ｆ（１４８〜１６０℃）の高圧加熱給水（本願明細書段落００１０）をガスタービンの入口にミストを供給し、」、「また、引用文献１に記載された発明は、ガスタービン３から排出される排気ガス２１から熱を回収する熱回収装置のガス流路に、圧縮機１で圧縮した後の支燃焼ガスを加熱するための再生器６，７を設けて、再生器６，７で加熱した圧縮支燃焼ガスを燃料と共に燃焼器２で燃焼させるという形式の再生式ガスタービンコンバインドサイクル発電システムに関するものであり、その開示内容を再生器を利用しない非再生式の複合サイクル発電プラントにそのまま適用することができるとはいえない。」と主張する。しかし、高圧加熱給水の圧力及び温度が上記特定範囲の数値であること並びに非再生式の複合サイクル発電プラントであることは本願発明の特定事項ではなく、本願明細書の段落【００２７】、【００３０】等の記載からみると、そのような限定をする趣意ないし意図がないことは明白である。
　以上を総合すると、刊行物１発明に刊行物１技術及び周知技術を適用して、相違点に係る本願発明の特定事項とすることは、当業者であれば容易に想到できたことである。
　そして、本願発明は、全体としてみても、刊行物１発明、刊行物１技術及び周知技術から予測される以上の格別な効果を奏するものではない。
　
（４）　むすび 
　以上のとおり、本願発明は、刊行物１発明、刊行物１技術及び周知技術に基づいて、当業者が容易に発明をすることができたものであるから、特許法第２９条第２項の規定により特許を受けることができない。
　
第３　結語
　
　以上に述べたとおり、本願発明は、特許法第２９条第２項の規定により特許を受けることができない。
したがって、本願は拒絶すべきものである。
　
　よって、結論のとおり審決する。